(57)【要約】【課題】天井に設置される電源アダプタに対してＬＥＤ灯体の直付け照明またはＬＥＤ灯体を吊り下げる吊り下げ照明の二態様の使用を可能にすること。【解決手段】電源アダプタ３は、シーリングコンセント2に機械的に係止され、かつ電気的に接続される一組の栓刃31、32を有し、ＬＥＤ灯体10の取付側には前記コンセントに取り付け不能な構造で、受け刃が組み込まれた一組の栓刃差込口33、34が形成されており、栓刃31、32を介して屋内配線から通電され、ＬＥＤ照明に必要な電力を前記受け刃を通して供給する。ＬＥＤ灯体10および灯体吊り下げ具4には、電源アダプタ3の受け刃に機械的に係止し、かつ電気的に接続される栓刃14、15、41、42が設けられており、更に灯体吊り下げ具4の吊り下げコード6にはＬＥＤ灯体10の栓刃を機械的に係止し、電気的に接続するソケット7が設けられている。【選択図】図１
2017162627.tif 000002
【特許請求の範囲】
【請求項１】
天井に固定された屋内配線接続器具に取り付けるＬＥＤ照明器具であって、
ボディと、該ボディー上面に設けられ、前記屋内配線接続器具に機械的に固定され、かつ電気的に接続される取付機構と、前記取付機構を通してＬＥＤ照明に必要な電力を供給するＬＥＤ電源部と、前記上面とは反対側のボディー下面に設けられた一組の栓刃差込口と、該各引掛けシーリング栓刃差込口に組み込まれた受け刃と、を備えた電源アダプタと、
ボディと、該ボディにコード収納空間およびコード長さ調節後の状態を維持するコード保持機構が設けられていると共に、前記ボディー上面に設けられ、前記一組の栓刃差込口に差し込み、取り付け方向に回動させて前記受け刃に機械的に係止され、かつ電気的に接続される一組の栓刃とから成る吊り下げコード収納部と、前記栓刃を通してＬＥＤ灯体に給電する電線および前記ＬＥＤ灯体を吊り下げる支持線が電気絶縁体で被覆された吊り下げコードと、該吊り下げコード収納部から出された前記吊り下げコードの下端に取り付けられていると共に、下面側には前記栓刃差込口と同じ形状かつ構造のソケット栓刃差込口が形成されており、該ソケット栓刃差込口にソケット受け刃が組み込まれたソケットと、を備えた灯体吊り下げ具と、
前記電源アダプタの栓刃差込口または前記ソケットのソケット栓刃差込口に差し込み、取り付け方向に回動させて前記電源アダプタまたは前記ソケットのそれぞれの受け刃に機械的に係止され、かつ電気的に接続される灯体栓刃を有し、該灯体栓刃を通して給電され、点灯するＬＥＤ灯体と、からなることを特徴とするＬＥＤ照明器具。
【請求項２】
屋内配線接続器具は、天井に設置され、一組の栓刃差込口と該各栓刃差込口に設けられ、屋内配線に電気的に接続される受け刃を有するシーリングコンセントであって、
前記電源アダプタは、ボディと、該ボディー上面に設けられ、前記シーリングコンセントの栓刃差込口に差し込み、取り付け方向に回動させて前記シーリングコンセントの受け刃に機械的に係止され、かつ電気的に接続される一組の引掛けシーリング栓刃と、前記上面とは反対側のボディー下面に設けられ、前記シーリングコンセントの栓刃差込口の間隔とは異なる間隔に形成された一組の引掛けシーリング栓刃差込口と、該各引掛けシーリング栓刃差込口に組み込まれた引掛シーリング受け刃と、前記引掛シーリング栓刃を介して屋内配線から通電され、前記引掛シーリング受け刃を通してＬＥＤ照明に必要な電力を供給するＬＥＤ電源部と、を備えた引掛シーリング型電源アダプタであることを特徴とする請求項１に記載のＬＥＤ照明器具。
【請求項３】
屋内配線接続器具は、長手方向にスリット状の開放部を有し、内側には前記開放部に沿って一組の線状導体を配し、該線状導体が屋内配線に接続されるライティングダクトであって、
前記ライティングダクトは、天井に直付け設置され、または天井に設置されるシーリングコンセントを介して設置されると共に、
電源アダプタは、ボディーと、該ボディの上面に設けられ、前記開放部に挿入し、取り付け方向に回動させて前記ライティングダクトに機械的に固定し、かつ前記線状導体に電気的に接続される取付プラグと、前記線状導体を通して給電され、ＬＥＤ照明に必要な電力を供給するＬＥＤ電源部と、前記上面とは反対側のボディー下面に設けられ、天井に設置されるシーリングコンセントの栓刃差込口の間隔とは異なる間隔で形成された一組の栓刃差込口と、該栓刃差込口に組み込まれ、前記ＬＥＤ電源部に電気的に接続された受け刃と、を備えたライティングダクト用電源アダプタであることを特徴とする請求項１に記載のＬＥＤ照明器具。
【請求項４】
コード保持機構は、コード収納空間を形成する隔壁とボディ底部の間のコード通路に一致する通路が設けられていると共に、ロックボタンおよびその反対側にリリースボタンが一体化されたスライド部材を備え、
前記スライド部材は前記ロックボタンの操作により移動し、吊り下げコードに対して前記コード通路に直交する向きに湾曲させて拘束し、一方リリースボタンの操作により前記吊り下げコードを前記コード通路に一致させて前記拘束を解き、前記吊り下げコードの引き出しあるいは押し込みを可能にしたことを特徴とする請求項１乃至３のいずれかに記載のＬＥＤ照明器具。
【請求項５】
スライド部材のロックボタン側には、係止爪を設けた弾性支持片がリリースボタン側に延びて形成されており、ロックボタンの操作によりスライド部材の移動に伴って吊り下げコードを湾曲させ拘束した状態で、前記係止爪がボディ内の凹部に係止し、支持片の弾性により保持すると共に、スライド部材のリリースボタン側にはリリース片が設けられており、前記リリース片はリリースボタンの操作により前記凹部との係止を外すことを特徴とする請求項４に記載のＬＥＤ照明器具。
【請求項６】
平坦な環状部分を有する鍔部が形成され、ＬＥＤモジュールを内装した灯具本体と、前記灯具本体の取付側に前記引掛けシーリング栓刃差込口または前記ソケット栓刃差込口に差し込み、取り付け方向に回動させて前記引掛けシーリング受け刃または前記ソケット受け刃に機械的に係止され、かつ電気的に接続される灯体栓刃と、前記鍔部の環状部分に合致する形状を有し、前記灯具本体の鍔部に配置されたヒートシンクと、からなることを特徴とする請求項１乃至５のいずれかに記載のＬＥＤ照明器具に使用するＬＥＤ灯体。
【請求項７】
前記ヒートシンクは板部材で構成され、該板部材を消費電力に応じて複数枚重ね合わせて前記灯具本体の鍔部に配置されていることを特徴とする請求項６に記載されたＬＥＤ灯体。
【発明の詳細な説明】
【技術分野】
【０００１】
本発明は、天井に固定されるシーリングコンセントに取付けるＬＥＤ（発光ダイオード）を光源とするＬＥＤ照明器具およびそれに使用するＬＥＤ灯体に関する。
【背景技術】
【０００２】
従来、天井に取り付ける照明器具の取付装置は、天井に固定され、屋内配線に接続されるシーリングコンセントと、このシーリングコンセントに取り付けられる照明器具用取付アダプタとからなる。照明器具用取付アダプタは、栓刃をシーリングコンセントの栓刃差込口に差し込み、取り付け方向（時計回り）に回動させて受け刃に機械的に係止し、同時に屋内配線に電気的に接続する。一方、反時計回りに回動させることで取り外し可能となっている。
【０００３】
従来の照明器具について説明する。なお、カッコ内の数字は特許文献記載のものを用いる。
特許文献１には、天井などの支持体に吊り下げられる照明器具本体（１）と、この照明器具本体（１）を電源に接続する電気コード（２）と、この電気コード（２）の巻き取り装置（６）とを備え、電気コード（２）は電源から電気を照明器具本体（１）へ供給する導線（３）と、この導線（３）を絶縁被覆する被覆部（４）と、導線（３）と平行に被覆部内へ配された支持用線（５）とを有し、照明器具本体（１）が天井等の他部材に、電気コード一本で、吊り下げられ、支持用線（５）が荷重を受けると共に、巻き取り装置（６）はボビン(６０)に接続された定出力ゼンマイ(６１)によって負荷をボビン(６０)に与えて電気コード（２）が巻き取られ或いは解き出されても昇降に必要な力が加わらない限り、照明器具本体（１）の位置を維持する機能を備えている照明器具が記載されている。
【０００４】
特許文献２には、ＬＥＤを光源とするＬＥＤ灯体（３）と、このＬＥＤ灯体（３）に電源を供給する給電線（２１）と、ＬＥＤ灯体（３）にＬＥＤを駆動する制御信号を供給する駆動制御線（２２、２３、２４）とを備え、給電線（２１）と駆動制御線（２２、２３、２４）と所要の絶縁保護膜（２２１、２３１、２４１）とから構成される電線（２）の最大幅を２ｍｍ以下とする発光器具が記載されている。
【０００５】
特許文献３には、ＬＥＤ等の光源を収容する灯具（２０）と、前記光源を点灯させる電力を供給する電源ブロック（２１）とを有し、被取付部に取付けられた引っ掛けシーリングに着脱可能に取付けられるとともに電源ブロック（２１）が取付けられる基台（２２）に一体的に設けられる配線ダクト（２５）を有し、この配線ダクト（２５）には灯具（２０）が着脱可能かつ電源ブロック（２１）から電力が供給されるように導通可能に構成されており、灯具（２０）が１本の同軸ケーブルで配線ダクト（２５）に吊り下げ可能な照明器具が記載されている。
【０００６】
従来において、ＬＥＤ電源部と灯具本体を別体に構成している照明器具も提案されているが、しかしながら、天井に固定する屋内配線接続器具にＬＥＤ電源部を取り外し可能にすると共に、ＬＥＤ電源部に対してＬＥＤ灯体を直接取り付ける灯体直付け型と、ＬＥＤ灯体を吊り下げコードを介して取り付ける灯体吊り下げ型の二態様を使い分けできる照明器具はなかった。
【先行技術文献】
【特許文献】
【０００７】
【特許文献１】特開２００２−３６７４２３号公報
【特許文献２】特開２０１０−２４４８４０号公報
【特許文献３】特開２０１１−２９１０６号公報
【発明の概要】
【発明が解決しようとする課題】
【０００８】
解決しようとする問題点は、ＬＥＤ照明に関しては、一般に屋内配線の商用電源を用いているので、ＬＥＤ発光に必要な電力を供給するためのＬＥＤ電源部が必要であり、このＬＥＤ電源部を照明器具本体に内蔵すると重くなり、しかも器具も大型化する。そのため、意匠等のデザイン性に制約を受け易くなって、多様なニーズに柔軟に対応できなかった。また、一つのＬＥＤ照明器具として、ＬＥＤ灯体直付け型とＬＥＤ灯体吊り下げ型の2つの共通な電源部とするものはなかった。
本発明は、天井に設置される電源アダプタに対してＬＥＤ灯体の直付け照明またはＬＥＤ灯体の吊り下げ照明の二態様の使用を可能にするＬＥＤ照明器具およびそれに使用するＬＥＤ灯体に関する。
【課題を解決するための手段】
【０００９】
請求項１に記載の発明は、天井に固定された屋内配線接続器具に取り付けるＬＥＤ照明器具であって、
ボディと、該ボディー上面に設けられ、前記屋内配線接続器具に機械的に固定され、かつ電気的に接続される取付機構と、前記取付機構を通してＬＥＤ照明に必要な電力を供給するＬＥＤ電源部と、前記上面とは反対側のボディー下面に設けられた一組の栓刃差込口と、該各引掛けシーリング栓刃差込口に組み込まれた受け刃と、を備えた電源アダプタと、
ボディと、該ボディにコード収納空間およびコード長さ調節後の状態を維持するコード保持機構が設けられていると共に、前記ボディー上面に設けられ、前記一組の栓刃差込口に差し込み、取り付け方向に回動させて前記受け刃に機械的に係止され、かつ電気的に接続される一組の栓刃とから成る吊り下げコード収納部と、前記栓刃を通してＬＥＤ灯体に給電する電線および前記ＬＥＤ灯体を吊り下げる支持線が電気絶縁体で被覆された吊り下げコードと、該吊り下げコード収納部から出された前記吊り下げコードの下端に取り付けられていると共に、下面側には前記栓刃差込口と同じ形状かつ構造のソケット栓刃差込口が形成されており、該ソケット栓刃差込口にソケット受け刃が組み込まれたソケットと、を備えた灯体吊り下げ具と、
前記電源アダプタの栓刃差込口または前記ソケットのソケット栓刃差込口に差し込み、取り付け方向に回動させて前記電源アダプタまたは前記ソケットのそれぞれの受け刃に機械的に係止され、かつ電気的に接続される灯体栓刃を有し、該灯体栓刃を通して給電され、点灯するＬＥＤ灯体と、からなることを特徴とする。
【００１０】
請求項２の発明は、請求項１の記載において、屋内配線接続器具は、天井に設置され、一組の栓刃差込口と該各栓刃差込口に設けられ、屋内配線に電気的に接続される受け刃を有するシーリングコンセントであって、
前記電源アダプタは、ボディと、該ボディー上面に設けられ、前記シーリングコンセントの栓刃差込口に差し込み、取り付け方向に回動させて前記シーリングコンセントの受け刃に機械的に係止され、かつ電気的に接続される一組の引掛けシーリング栓刃と、前記上面とは反対側のボディー下面に設けられ、前記シーリングコンセントの栓刃差込口の間隔とは異なる間隔に形成された一組の引掛けシーリング栓刃差込口と、該各引掛けシーリング栓刃差込口に組み込まれた引掛シーリング受け刃と、前記引掛シーリング栓刃を介して屋内配線から通電され、前記引掛シーリング受け刃を通してＬＥＤ照明に必要な電力を供給するＬＥＤ電源部と、を備えた引掛シーリング型電源アダプタであることを特徴とする。
【００１１】
請求項３の発明は、請求項１に記載において、屋内配線接続器具は、長手方向にスリット状の開放部を有し、内側には前記開放部に沿って一組の線状導体を配し、該線状導体が屋内配線に接続されるライティングダクトであって、前記ライティングダクトは天井に直付け設置され、または天井に設置されるシーリングコンセントを介して設置されると共に、
電源アダプタは、ボディーと、該ボディの上面に設けられ、前記開放部に挿入し、取り付け方向に回動させて前記ライティングダクトに機械的に固定し、かつ前記線状導体に電気的に接続される取付プラグと、前記線状導体を通して給電され、ＬＥＤ照明に必要な電力を供給するＬＥＤ電源部と、前記上面とは反対側のボディー下面に設けられ、天井に設置されるシーリングコンセントの栓刃差込口の間隔とは異なる間隔で形成された一組の栓刃差込口と、該栓刃差込口に組み込まれ、前記ＬＥＤ電源部に電気的に接続された受け刃と、を備えたライティングダクト用電源アダプタであることを特徴とする。
【００１２】
請求項４の発明は、請求項１乃至３のいずれかに記載において、コード保持機構は、コード収納空間を形成する隔壁とボディ底部の間のコード通路に一致する通路が設けられていると共に、ロックボタンおよびその反対側にリリースボタンが一体化されたスライド部材を備え、
前記スライド部材は前記ロックボタンの操作により移動し、吊り下げコードに対して前記コード通路に直交する向きに湾曲させて拘束し、一方リリースボタンの操作により前記吊り下げコードを前記コード通路に一致させて前記拘束を解き、前記吊り下げコードの引き出しあるいは押し込みを可能にしたことを特徴とする。
【００１３】
請求項５の発明は、請求項４において、スライド部材のロックボタン側には、係止爪を設けた弾性支持片がリリースボタン側に延びて形成されており、ロックボタンの操作によりスライド部材の移動に伴って吊り下げコードを湾曲させ拘束した状態で、前記係止爪がボディ内の凹部に係止し、支持片の弾性により保持すると共に、スライド部材のリリースボタン側にはリリース片が設けられており、前記リリース片はリリースボタンの操作により前記凹部との係止を外すことを特徴とする。
【００１４】
請求項６の発明は、請求項１乃至５のいずれかに記載のＬＥＤ照明器具に使用するＬＥＤ灯体であって、平坦な環状部分を有する鍔部が形成され、ＬＥＤモジュールを内装した灯具本体と、前記灯具本体の取付側に前記引掛けシーリング栓刃差込口または前記ソケット栓刃差込口に差し込み、取り付け方向に回動させて前記引掛けシーリング受け刃または前記ソケット受け刃に機械的に係止され、かつ電気的に接続される灯体栓刃と、前記灯具本体の鍔部に配置されたヒートシンクと、からなることを特徴とする。
【００１５】
その他の特徴構成として、ヒートシンクは板部材で構成され、該板部材を消費電力に応じて複数枚重ね合わせて灯具本体の鍔部に配置される。
【発明の効果】
【００１６】
本発明によれば、ＬＥＤ電源部と灯具本体を別体に構成し、ＬＥＤ電源部のみを天上に取り付けることで、器具本体を小型化、軽量化が図れると共に、吊り下げコードを細くしているので、デザイン性に優れ、見栄えが良い。また、電源アダプタにＬＥＤ灯体を直接取り付けて使用する直付け型照明器具および同じ電源アダプタに灯体吊り下げ具を支持し、吊り下げコードのソケットにＬＥＤ灯体を取り付けて使用する吊り下げ型照明装置を簡単にセットすることができるので、多様なニーズに対応した照明空間を作り出すことができる。
【図面の簡単な説明】
【００１７】
【図１】図１は、天井に設置されるシーリングコンセントに取り付けるＬＥＤ照明器具の２つの使用態様を示す説明図である。
【図２】図２は、引掛シーリング型電源アダプタＡの正面図である。
【図３】図３は、引掛シーリング型電源アダプタＡの側面図である。
【図４】図４は、引掛シーリング型電源アダプタＡのシーリングコンセント側を示す図である。
【図５】図５は、引掛シーリング型電源アダプタＡの灯具取付け側を示す図である。
【図６】図６は、灯体吊り下げ具の正面図である。
【図７】図７は、灯体吊り下げ具のシーリングコンセント側を示す図である。
【図８】図８は、灯体吊り下げ具の灯具取付け側を示す図である。
【図８Ａ】図８Ａは、図８のＡ−Ａ断面およびＢ−Ｂ断面を示し、ロック時のコード保持機構の作動状態を示す図である。
【図８Ｂ】図８Ｂは、図８のＡ−Ａ断面およびＢ−Ｂ断面を示し、リリース又はロック操作時のコード保持機構の作動状態を示す図である。
【図８Ｃ】図８Ｃは、図８のＡ−Ａ断面およびＢ−Ｂ断面を示し、リリース時のコード保持機構の作動状態を示す図である。
【図９】図９は、ソケットの側面図である。
【図１０】図１０は、ソケットの灯具取付け側を示す図である。
【図１１】図１１は、ＬＥＤ灯体の側面図である。
【図１２】図１２は、ＬＥＤ灯体の取付側を示す平面図である。
【図１３】図１３は、放熱部材の斜視図である。
【図１４】図１４は、吊り下げコードの断面図である。
【図１５】図１５は、ライティングダクト用電源アダプタＢの正面図である。
【図１６】図１６は、ライティングダクト用電源アダプタＢのシーリングコンセント側を示す図である。
【図１７】図１７は、ライティングダクト用電源アダプタＢの灯具取付側を示す図である。
【発明を実施するための形態】
【００１８】
本発明は、ＬＥＤ電源部を内蔵する電源アダプタと灯具本体を別体に構成すると共に、電源アダプタに対するＬＥＤ灯体のみの取付構造と灯具本体の灯体吊り下げ具の取付構造を共通化することで、灯体直付け型照明器具および灯体吊り下げ型照明器具の二態様の使用を実現にした。
【００１９】
以下に、図面を参照しながら実施例を詳しく説明する。本発明の実施態様は、天井に固定される屋内配線接続器具として、シーリングコンセントとライティングダクトを使用し、これらを単独で用いる構成およびシーリングコンセントにライティングダクトを取り外し可能に取り付ける組み合わせた構成も含む。
【実施例１】
【００２０】
図１は、天井に設置されるシーリングコンセントに取り付けるＬＥＤ照明器具の２つの使用態様を示し、図１（Ａ）は灯体直付け型照明器具、図１（Ｂ）は灯体吊り下げ型照明器具の説明図である。
【００２１】
灯体直付け型照明器具は、図１（Ａ）に示すように、天井１に設置されるシーリングコンセント２に引掛シーリング型電源アダプタ（以下、電源アダプタＡと称す）３を取り付け、下面側にＬＥＤ灯体１０を取り付けて使用する。灯体吊り下げ型照明器具は、図１（Ｂ）に示すように、同じ電源アダプタＡ３に吊り下げコード部４を取り付け、吊り下げコード６のソケット７にＬＥＤ灯体１０を取り付けて使用する。
【００２２】
電源アダプタＡ３について、図２および図３を参照しながら詳しく説明する。
電源アダプタＡ３は、ボディ３０内にＬＥＤ灯体１０に電力を供給するＬＥＤ電源部３５を備えている。電源アダプタＡ３のシーリングコンセント２側には、ＬＥＤ電源部３５に通電する一組の引掛シーリング栓刃３１、３２が、図５で示す間隔aで配置されている。一方、電源アダプタＡ３のＬＥＤ灯体側には、図４に示すように、一組の引掛シーリング栓刃差込口３３、３４が、後述の吊り下げコード収納部４およびＬＥＤ灯体１０のそれぞれに設けられた栓刃の間隔ｂ(図８、図１２参照)に合わせて形成されている。
【００２３】
電源アダプタＡ３は、引掛シーリング栓刃３１、３２をシーリングコンセント２の一組の栓刃差込口に差し込み、取り付け方向に回動させると、図１（Ａ）に示す状態となり、引掛シーリング栓刃３１、３２がシーリングコンセント２の受け刃に対して機械的に係止され、このシーリングコンセント２の受け刃を通して屋内配線に電気的に接続される。
【００２４】
ここで、間隔aは、一組の引掛シーリング栓刃３１、３２がシーリングコンセント２の一組の栓刃差込口に差し込まれ、取り付け方向に回動可能な寸法である。間隔bは、灯体吊り下げ具４およびＬＥＤ灯体１０の一組の栓刃が電源アダプタＡ３およびソケット７の一組の栓刃差込口に差し込まれ、取り付け方向に回動可能な寸法である。
間隔aと間隔ｂの関係はa＞ｂである。このような間隔にすることで、灯体吊り下げ具４およびＬＥＤ灯体１０のそれぞれの栓刃がシーリングコンセント２の栓刃差込口に差し込みできないようにすると共に、灯体吊り下げ具４およびＬＥＤ灯体１０がＬＥＤ電源部３５に対して確実かつ安全に接続されるよう構成されている。
【００２５】
引掛シーリング栓刃差込口３３、３４には、引掛シーリング受け刃(図示省略)が配されており、栓刃の取り付け方向の回動によって栓刃が受け刃に対して機械的に係止され、ＬＥＤ電源部３５に電気的に接続される。ＬＥＤ電源部３５は、受け刃、栓刃を通してＬＥＤ灯体１０に必要な電力を供給する。
【００２６】
灯体吊り下げ具４について、図６〜図８Ａを参照しながら詳しく説明する。
灯体吊り下げ具４は、吊り下げコード６と、電源アダプタＡ３の引掛シーリング栓刃差込口３３、３４に差し込まれる栓刃４１、４２を備え、ボディ４５内の隔壁４５１の上部には栓刃４１、４２に電気的に接続された吊り下げコード６を収めるコード収納空間４６を有し、隔壁４５１の下部にコード収納空間４６から吊り下げコード６を引き出し、あるいは吊り下げコード６を押し込み収めて所望の長さに調節し、その状態を維持するコード保持機構５０が配置された吊り下げコード収納部４０と、この吊り下げコード収納部４０から出される吊り下げコード６の下端に取り付けられたソケット７と、から構成されている。
【００２７】
コード保持機構５０について、図８Ａ−図８Ｃを参照しながら詳しく説明する。
コード保持機構５０は、隔壁４５１とボディ底部４５２の間のコード通路４８に交差してスライド部材５１が移動可能に設けられており、このスライド部材５１にはボディ４５に露出するロックボタン５２およびその反対側に配置されるリリースボタン５３が一体化されている。隔壁４５１とボディ底部４５２には、灯体吊り下げ具４の取付時におけるコード吊り下げ方向に一致した線上にコード通し口４４が設けられている。
【００２８】
ロックボタン５２は、押し操作によりスライド部材５1を図８Ａの状態に作動させることで、吊り下げコード６を拘束（ロック）し、一方図８Ａの状態でリリースボタン５３の押し操作によりスライド部材５1を図８Ｃの状態に作動させることで、吊り下げコード６の拘束を解く（リリース）。
【００２９】
図８Ｃにおいて、スライド部材５１には、上下のコード通し口４４を結ぶ線上に一致する通路５４が設けられており、この通路５４のロックボタン５２側がコード通過に対して直交する方向に凸状の断面半円の曲面５４ａに形成されている。コード通路４８には、ロックボタン５２の押し操作によって湾曲した吊り下げコード６を沿わせる凹曲面４８a(図８Ｃ参照)が形成されている。
【００３０】
ボディ底部４５２の内側には、ロック時のストッパー５５とリリース時のストッパー５６が突設されている。ロック時には、スライド部材５１のロックボタン側に形成された当接部５７がストッパー５５に当たる(図８Ｂの状態)。一方リリース時には、リリースボタン５３の内側にストッパー５６が当たる(図８Ｃの状態)。
【００３１】
次に、ロック状態又はリリース状態を保持するための構造について、図８Ａ−図８Ｃを参照しながら説明する。
スライド部材５１のロックボタン側には、弾性支持片６１がリリースボタン側に延びて形成されており、支持片６１の先端には係止爪６２が設けられている。係止爪６２は、スライド部材５１の移動方向に対して前傾した前面６２ａと直角な後面６２bを有する（図８Ｂ参照）。係止爪６２の後面６２bは、ロックボタン５２の押し操作において、ボディ底部４５２の段部分６４に乗り上げ、支持片６１が弾性によって撓み、スライド部材５１が移動する。係止爪６２は、図８Ｂに示すようにスライド部材５１の移動に伴ってストッパー５６の凹部６３に入って係止し、支持片６１の復元力によりロック状態を保持する(図８Ａの状態)。スライド部材５１のリリースボタン側には、係止爪６２の前面６２aに当接するリリース片６４が設けられている。図８Ａの状態でリリースボタン５３の押し操作により、図８Ｂに示すようにリリース片６４が係止爪６２の前面６２aに当接し、係止爪６２を上方に押し上げて凹部６３との係止が外れる。更に、リリースボタン５３をストッパー５０に当たるまで押し込むことで、スライド部材５１のロック状態は完全に解かれる。その後、吊り下げコード６を僅かに引き出すとスライド部材５１が図中右方向に動き、吊り下げコード６を図８Ｃに示す如くまっすぐにするともに、係止爪６２の前面６２aの一部がボディ底部４５２の段部分６４にすべり込み、支持片６１の復元力によりリリース状態を保持する(図８Ｃの状態)。
【００３２】
ロックボタン５２とリリースボタン５３の関係について説明する。
ロック時のリリースボタン５３を押し、係止爪６２と凹部６３の係止を解くまでの間、すなわち図８Ａから図８Ｂへの作動において、リリースボタン５３のみが押し込めるようにスライド部材５１に組み込まれている。したがって、図８Ｃの状態で吊り下げコード６がまっすぐになって引き出し、押し込みが可能になったとき、ロックボタン５２はボディ４５から突出するが、リリースボタン５３はストッパー５６で動きが止められるため、係止爪６２が離れ、リリース位置にスライド部材５１を保持する。
【００３３】
図９および図１０において、ソケット７は、引掛シーリング栓刃差込口３３、３４と同じ形状、かつ構造のソケット栓刃差込口７０、７１が下面側に形成されており、このソケット栓刃差込口７０、７１にはＬＥＤ灯体１０の栓刃と機械的に係止され、電気的に接続されるソケット受け刃(図示省略)が組み込まれている。
【００３４】
ＬＥＤ灯体について図１１〜図１３を参照しながら説明する。
ＬＥＤ灯体１０は、ＬＥＤモジュールが内装された灯具本体１１と、ＬＥＤモジュールを覆うグローブ１２と、ＬＥＤモジュールのヒートシンク１３とから構成されている。灯具本体１１には、環状の鍔部１１０が設けられており、取付側に電源アダプタＡ３の引掛けシーリング栓刃差込口３３、３４およびソケット７のソケット栓刃差込口７０、７１に差し込み、取り付け方向に回動させて電源アダプタＡ３またはソケット７のそれぞれの受け刃に機械的に係止され、かつ電気的に接続される灯体栓刃１４、１５が設けられている。
【００３５】
灯具本体１１の鍔部１１０は、上面が平坦な環状部分に形成されており、この環状部分にヒートシンク１３が配置される。ヒートシンク１３は、灯具本体１１の環状部分に合致する形状になっている。ヒートシンク１３は、放熱効果の優れた所定厚みの板部材で作製され、これを複数枚重ね合わせてＬＥＤ照明の消費電力に応じた放熱効果が得られるよう構成される。
【００３６】
吊り下げコードの実施例を図１４を参照しながら説明する。
吊り下げコード６は、ＬＥＤ灯体１０に給電する一組の電線６０、６１と、電線間に配置されたステンレス製ワイヤーからなる支持線６２と、これらの線を横並びにして電気絶縁体６３で被覆して扁平形状に一体化された構造である。
【００３７】
次に、本実施例の作用を説明する。
先ず、灯体直付け型照明器具について、図１(Ａ)を参照しながら説明する。
天井に設置されたシーリングコンセン２の栓刃差込口に電源アダプタＡ３の引掛シーリング栓刃３1、３２を差し込む。その後、取り付け方向（時計廻り）に回動させると、引掛シーリング栓刃３１、３２がシーリングコンセント２の受け刃に機械的に係止され、かつ電気的に接続される。この状態において、電源アダプタＡ３はシーリングコンセント２に確実に取り付けられ、屋内配線に接続される。続いて、ＬＥＤ灯体１０の灯体栓刃１４、１５を電源アダプタＡ３の引掛シーリング栓刃差込口３３、３４に差し込み、取り付け方向（時計廻り）に回動させて引掛シーリング受け刃に機械的に係止させ、かつ電気的に接続されると点灯可能になる。
【００３８】
次に、灯体吊り下げ型照明器具について、図１(Ｂ)を参照しながら説明する。
灯体吊り下げ具４の栓刃４１、４２を電源アダプタＡ３の引掛シーリング栓刃差込口３３、３４に差し込み、取り付け方向に回動させて引掛シーリング受け刃に機械的に係止させ、かつ電気的に接続する。続いて、ソケット７にＬＥＤ灯体１０を取り付ける。すなわち、ＬＥＤ灯体１０の灯体栓刃１４、１５をソケット栓刃差込口７０、７１に差し込み、取り付け方向に回動させてソケット受け刃に機械的に係止させ、かつ電気的に接続すると、ＬＥＤ灯体１０は点灯可能になる。
【実施例２】
【００３９】
本実施例は、長手方向にスリット状の開放部を有し、この開放部に沿って一組の線状導体を内側に配し、この線状導体が屋内配線に接続されるライティングダクト９に適用可能なＬＥＤ照明器具である。ここで、ライティングダクト９は、天井に直付け設置されるか、または天井に設置されたシーリングコンセントに取付けられる。ライティングダクト９は、ＬＥＤ照明器具をレールに沿って移動させ任意の位置に支持する為のものである。
【００４０】
ライティングダクト用電源アダプタを図１５〜図１７を参照しながら詳しく説明する。
ライティングダクト用電源アダプタ（以下、電源アダプタＢと称す）８は、取付プラグ８１を通して屋内配線に、実施例１と同様のＬＥＤ電源部３５を接続し、ＬＥＤ照明に必要な電力を供給する。
【００４１】
電源アダプタＢ８は、ボディ８０上面に取付プラグ８１が設けられており、この取付プラグ８１をライティングダクト９の開放部に挿入し、取り付け位置に回動させてライティングダクト９に機械的に固定すると、一対の導電性接続子１１１,１１２がライティングダクト９の線状導体に電気的に接続される。
【００４２】
電源アダプタＢ８の下面には、前述の実施例１に記載の電源アダプタＡ３と同一の形状、かつ構造の一組の栓刃差込口８２、８３および各栓刃差込口毎に受け刃が組み込まれている。このような構成により、実施例１と同様にＬＥＤ灯体１０および灯体吊り下げ具４の取り付けが可能になっている。使用方法は実施例１と同じなので、説明を省略する。
【符号の説明】
【００４３】
１    天井
２    シーリングコンセント
３    引掛シーリング型電源アダプタ（電源アダプタＡ）
４    灯体吊り下げ具
６    吊り下げコード
７    ソケット
８    ライティングダクト用電源アダプタ（電源アダプタＢ）
９    ライティングダクト
１０  ＬＥＤ灯体
１３  ヒートシンク
３５  ＬＥＤ電源部
４０  吊り下げコード収納部
４８  コード通路
５０  コード保持機構
５１  スライド部材
５２  ロックボタン
５３  リリースボタン。
【図１】
2017162627.tif 000003
【図２】
2017162627.tif 000004
【図３】
2017162627.tif 000005
【図４】
2017162627.tif 000006
【図５】
2017162627.tif 000007
【図６】
2017162627.tif 000008
【図７】
2017162627.tif 000009
【図８】
2017162627.tif 000010
【図８Ａ】
2017162627.tif 000011
【図８Ｂ】
2017162627.tif 000012
【図８Ｃ】
2017162627.tif 000013
【図９】
2017162627.tif 000014
【図１０】
2017162627.tif 000015
【図１１】
2017162627.tif 000016
【図１２】
2017162627.tif 000017
【図１３】
2017162627.tif 000018
【図１４】
2017162627.tif 000019
【図１５】
2017162627.tif 000020
【図１６】
2017162627.tif 000021
【図１７】
2017162627.tif 000022